(57)【特許請求の範囲】
【請求項１】
回線に接続され、画情報と該画情報を回覧する複数の回覧メンバ−から構成されるグル−プを示すグル−プＩＤの送受信と電話番号の受信を行う送受信手段と、前記グル−プＩＤと自装置が回覧送信元であるか否かを示す情報と回覧先の電話番号を記憶する第１の記憶手段と、複数の電話番号を記憶する第２の記憶手段と、前記送受信手段が受信したグル−プＩＤが前記第１記憶手段に記憶されているか否かを判定するグル−プＩＤ判定手段と、前記送受信手段が受信した送信側電話番号が前記第２記憶手段に記憶されているか否かを判定する電話番号判定手段と、を有し、着信時、前記送受信手段が受信したグル−プＩＤが前記第１記憶手段に記憶されていると前記グル−プＩＤ判定手段が判定し、かつ前記電話番号判定手段が、前記送受信手段が受信した送信側電話番号が前記第２記憶手段に記憶されていると判定すると共に、前記第１の記憶手段に自装置が回覧送信元でないことを示す情報が記憶されている時、前記送受信手段が前記第１記憶手段に記憶されている回覧先電話番号で特定される相手先に、前記着信時に受信した画情報及び前記第１記憶手段に記憶されているグル−プＩＤを送信することを特徴とするフアクシミリ回覧装置。
【発明の詳細な説明】
【０００１】
【産業上の利用分野】
本発明はファクシミリ回覧装置及びシステムに関する。
【０００２】
【従来の技術】
相手側に画情報を送信する装置の一つにファクシミリ装置がある。
【０００３】
通常、前記ファクシミリ装置を用いて画情報を送信する際には、送信側で画情報の読み取り動作とユーザのダイヤル入力操作が行われると、受信側へ画情報が送信される。
【０００４】
一方、画情報受信側では、回線からの呼び出しに応答して画情報を受信し、受信した画情報をプリンターで印刷するか又はメモリに記憶する。
【０００５】
このようなファクシミリ装置を用いて、通常は人手により回覧されていた回覧印刷物（回覧板）をファクシミリ装置を利用して順次転送することが考えられている。そうすることにより、特に豪雪地帯や民家同士の距離が離れている町や村等における回覧板（例えば、お祭り等の催し物情報）の伝達速度を向上させることが期待できる。
【０００６】
【発明が解決しようとする課題】
しかし、従来のファクシミリ装置を利用して例えば、図７に示す如く第１から第６のファクシミリ装置の順に回覧板を回覧する場合には、回覧板を受信した装置のユーザは、回覧受信の度に受信した回覧板を送信セットし直し、続いて次の相手先のＦＡＸ番号を入力して発信操作を行わなければならず、非常に手間がかかるという問題が生じる。
【０００７】
又、回覧板受信側のユーザが長期間留守の場合には次の送信先へ回覧板が送信されない問題が生じる。
【０００８】
更に、回覧板受信側のユーザが、受信した回覧板だけでは受信回覧板が回覧元装置から送信されたものであるか否かを正確に知ることができず、又、受信し印刷した回覧板に送信側がだれであるかを示す情報（例えば、送信側の電話番号）が記載されていないこともある為、回覧メンバー（図７では第１〜第６のＦＡＸ装置）以外の第三者からの不所望な画情報が図７に示す回覧板ルートに乗ってしまうという問題も考えられる。
【０００９】
【課題を解決するための手段】
本発明は、このような問題を解決する為のものであり、ユーザに操作の負担をかけずに情報を回覧可能であると共に、第三者から不所望な回覧版が回覧されることを防止可能なファクシミリ回覧装置を実現するものである。
【００１０】
【課題を解決するための手段】
本発明は、回線に接続され、画情報と該画情報を回覧する複数の回覧メンバ−から構成されるグル−プを示すグル−プＩＤの送受信と電話番号の受信を行う送受信手段と、前記グル−プＩＤと自装置が回覧送信元であるか否かを示す情報と回覧先の電話番号を記憶する第１の記憶手段と、複数の電話番号を記憶する第２の記憶手段と、前記送受信手段が受信したグル−プＩＤが前記第１記憶手段に記憶されているか否かを判定するグル−プＩＤ判定手段と、前記送受信手段が受信した送信側電話番号が前記第２記憶手段に記憶されているか否かを判定する電話番号判定手段と、を有し、着信時、前記送受信手段が受信したグル−プＩＤが前記第１記憶手段に記憶されていると前記グル−プＩＤ判定手段が判定し、かつ前記電話番号判定手段が、前記送受信手段が受信した送信側電話番号が前記第２記憶手段に記憶されていると判定すると共に、前記第１の記憶手段に自装置が回覧送信元でないことを示す情報が記憶されている時、前記送受信手段が前記第１記憶手段に記憶されている回覧先電話番号で特定される相手先に、前記着信時に受信した画情報及び前記第１記憶手段に記憶されているグル−プＩＤを送信することを特徴とする。
【００１１】
【発明の実施の形態】
本発明を適用してなる回覧システムでは、図７において第１ＦＡＸ装置（以下、回覧元装置という）から送出された回覧板が第２〜第６ＦＡＸ装置（配信メンバー）へと順に自動送信され、最後には第１ＦＡＸ装置へと送信される。
【００１２】
又、回覧板が予め定められた配信メンバーにのみ回覧可能とする為に、第１ＦＡＸ装置からは回覧板とグループＩＤと送信側電話番号が送信される。
【００１３】
上記グループＩＤは、回覧元と配信メンバーで構成されるグループの識別番号であり、配信メンバーのファクシミリ装置に予め記憶されているグループＩＤと送信側から送信されたグループＩＤが一致しなければ、次のＦＡＸ装置には回覧板が回覧されない。
【００１４】
図１は、上述のシステムの各ＦＡＸ装置に適用するファクシミリ装置のブロック図であり、モデム１００は、回線Ｌを介して送受信されるファクシミリ通信に用いる各種信号（画情報等）を変復調する。又、このモデム１００は、回線Ｌへダイヤル信号を送出させる為のダイヤラ１０１を内蔵している。
【００１５】
符号化／復号化部１１０は、画情報の符号化復号化を行う。
【００１６】
画情報メモリ１２０は、例えば、ＤＲＡＭからなり画情報データを記憶する。
【００１７】
印刷部１３０は、例えば、熱転写、感熱、電子写真又はインクジェット方式のプリンタからなり、画情報等を印刷する。
【００１８】
表示部１４０は、例えば、液晶等のフラットパネルディスプレイ又はＣＲＴ等の表示器からなり、現在の通信状態やダイヤル入力時の相手先ＦＡＸ番号等を表示する。
【００１９】
操作部１５０は、テンキーや各種機能キー等を備え、相手先のＦＡＸ番号入力や前記画情報メモリ１２０に記憶されている画情報の印刷等の操作指示等に用いる。
【００２０】
ＲＯＭ（Ｒｅａｄ  Ｏｎｌｙ  Ｍｅｍｏｒｙ）１６０は、ファクシミリ装置を動作させる為の各種プログラム（制御プログラム）を記憶する。
【００２１】
ＲＡＭ（Ｒａｎｄｏｍ  Ａｃｃｅｓｓ  Ｍｅｍｏｒｙ）１７０は、ファクシミリ動作時に必要な各種データを格納する。
【００２２】
図２に前記ＲＡＭ１７０に格納されている各種データの格納形態を示す。ＲＡＭ１７０には、回覧元の電話番号を記憶する領域と、グループＩＤを記憶する領域と、受信した回覧板の次回覧先電話番号を記憶する領域と、後述するＴＳＩ信号中に含まれた回覧受信時の送信側電話番号を記憶する領域と、後述するナンバーディスプレイ機能により受信した送信側電話番号を記憶する領域の５つの領域を有し、前記回覧元電話番号と前記グループＩＤと回覧先の電話番号はユーザにより予め格納される。
【００２３】
尚、本実施例では、回覧元装置のＲＡＭ１７０の回覧元電話番号記憶領域には回覧元電話番号は記憶されておらず、回覧元を除く回覧メンバー装置のＲＡＭ１７０の前記回覧元電話番号領域には回覧元（図７中では、第１ＦＡＸが相当）の電話番号が記憶されている。
【００２４】
電話帳メモリ１８０は、例えばＳＲＡＭや不揮発性のフラッシュメモリ等からなり少なくとも前記回覧メンバーの電話番号と名前を対で記憶する。
【００２５】
制御部１９０は、ＲＯＭ１６０に記憶されているプログラムデータ（制御プログラム）に基づいて前記各回路の制御を司ると共に、回線Ｌからの着信検出と各種ファクシミリ信号の検出を行う。
【００２６】
図３〜図６は、ＲＯＭ１６０のプログラムデータに基づいた制御部１９０の制御を示すフロー図であり、以下ではこのフローに従って本実施例装置の動作を説明する。
【００２７】
図３に示すＳ１ステップにおいて、制御部１９０は、操作部１５０の操作を検出するとＳ２ステップへ処理を進め、一方検出しない場合には、Ｓ８ステップ（図４）へ処理を進める。
【００２８】
Ｓ２ステップでは、制御部１９０は、操作部１５０の操作が画情報の送信処理を指示するものであるか否かを判定し、そうである場合にはＳ３ステップへ処理を進め、一方、そうでない場合にはＳ７ステップへ処理を進める。
【００２９】
Ｓ３ステップでは、制御部１９０は、操作部１５０の操作信号が回覧板送信指示であるか否かを判定し、そうである場合にはＳ４ステップへ処理を進め、一方、そうでない場合にはＳ６ステップへ処理を進める。
【００３０】
Ｓ４ステップでは、制御部１９０はＲＡＭ１７０に回覧元電話番号が記憶されていない（自装置が回覧元装置である）と判定するとＳ５ステップへ処理を進め、一方、前記番号が記憶されている（自装置が回覧元装置でない）と判定するとＳ１ステップへ処理を戻す。
【００３１】
Ｓ５ステップでは、制御部１９０は、次の回覧先への回覧送信処理を行う。
【００３２】
具体的には、以下の手順で回覧送信処理が行われる。
【００３３】
先ず、制御部１９０が、ＲＡＭ１７０の回覧先電話番号領域（図２）に記憶されている回覧先電話番号をダイヤラ１０１により回線Ｌへ送出させ回線Ｌが閉結されると、ファクシミリ送信予告を示す周波数１１００Ｈｚの単一トーン信号からなるＣＮＧ信号を回線Ｌへ送信し、続いて回線Ｌから回覧先装置がファクシミリ装置であることを示す周波数２１００ＨｚのＣＥＤ信号と、回覧先装置の送受信能力を示すＤＩＳ信号を回線Ｌから受信すると、自身の送信能力（例えば、モデムスピード等）を示すＤＣＳ信号とＲＡＭ１７０に記憶されているグループＩＤを付加してなるＳＵＢ信号と自身の電話番号を付加したＴＳＩ信号を回線Ｌへ送信する。ここで、前記ＳＵＢ信号は、回覧先ファクシミリ装置から送信されたＤＩＳ信号にＳＵＢ信号を受信可能であることを示す情報が含まれている場合に、送信側ファクシミリ装置から送信される信号である。
【００３４】
その後、制御部１９０は、予め画情報メモリ１２０に記憶されている画情報又は図示しない読み取り手段で読み取った原稿の画情報を回覧板としてモデム１００で変調させた後に回線Ｌへ送信させ、Ｓ１ステップへ処理を戻す。
【００３５】
Ｓ７ステップでは、制御部１９０は、Ｓ１ステップで検出した操作指示（例えば、電話帳登録や画情報メモリ１２０中の画情報の印字出力等）に対応する処理を行い、Ｓ１ステップへ処理を戻す。
【００３６】
図４のＳ８ステップでは、制御部１９０は、回線Ｌから受信される情報端末起動信号（以下、起動信号と称す）が有るか否かを判定している。
【００３７】
尚、前記起動信号とは、現在日本電信電話株式会社（ＮＴＴ）がサービスを行っているナンバーディスプレイサービスで使用され、最初に交換器から電話機へ送られてくる信号である。
【００３８】
具体的には、制御部１９０は、モデム１００における前記起動信号の受信の有無を検出し、検出した際にはＳ９ステップへ処理を進め、一方、検出しない際にはＳ１０ステップへ処理を進める。
【００３９】
Ｓ９ステップでは、制御部１９０は、モデム１００を制御して回線Ｌを閉結させ回線Ｌから前記起動信号と共に送られてくる送信側電話番号を検出し、検出した番号をＲＡＭ１７０のナンバーディスプレイによる電話番号領域へ記憶させ続いてモデム１００に回線Ｌを開放させる。
【００４０】
続くＳ１０ステップでは、制御部１９０は、回線Ｌからの周波数１６Ｈｚの呼び出し信号の有無を検出し、検出した際には、Ｓ１１ステップへ処理を進め、一方、検出しない際にはＳ１ステップ（図３）へ処理を戻す。
【００４１】
Ｓ１１ステップでは、制御部１９０は、モデム１００を制御することにより回線を閉結させ、Ｓ１２ステップへ処理を進める。
【００４２】
Ｓ１２ステップでは、制御部１９０は、ＦＡＸ送信予告を示す周波数１１００Ｈｚの単一トーン信号からなるＣＮＧ信号の有無を検出し、この信号を検出するとＳ１４ステップへ処理を進め、一方、検出しない場合にはＳ１３ステップへ処理を進める。
【００４３】
Ｓ１３ステップでは、制御部１９０は、例えば発呼側との通話処理等の他の処理を行い、Ｓ１ステップ（図３）へ処理を戻す。
【００４４】
Ｓ１４ステップでは、制御部１９０は、モデム１００を制御することによりＣＥＤ信号とＤＩＳ信号を回線Ｌへ送出させＳ１５ステップへ処理を進める。
【００４５】
Ｓ１５ステップでは、制御部１９０は、回線ＬからＤＣＳ信号を検出するとＳ１６ステップへ処理を進める。
【００４６】
Ｓ１６ステップでは、制御部１９０は、送信側ファクシミリよりＴＳＩ信号が送信されているか否かを判定し、送信されていると判定した際にはＳ１７ステップへ処理を進め、一方、そうでない場合にはＳ１８ステップへ処理を進める。
【００４７】
Ｓ１７ステップでは、制御部１９０は、前記ＴＳＩ信号に含まれる送信側電話番号を読み取りＲＡＭ１７０のＴＳＩ電話番号領域に記憶させ、Ｓ１８ステップへ処理を進める。
【００４８】
Ｓ１８ステップでは、制御部１９０は、送信側からのＳＵＢ信号の有無を検出し、この信号を検出するとＳ１９ステップへ処理を進め、一方、検出しない場合にはＳ２０ステップへ処理を進める。
【００４９】
Ｓ１９ステップでは、制御部１９０は、前記ＳＵＢ信号中からグループＩＤを検出するとＳ２１ステップ（図５）へ処理を進め、一方、検出しない場合にはＳ２０ステップへ処理を進める。
【００５０】
Ｓ２０ステップでは、制御部１９０は、通常のファクシミリ受信処理を行う。
【００５１】
具体的には、制御部１９０が、モデム１００で復調された画情報を画情報メモリ１２０に記憶させるか、又は、前記復調画情報を符号化／復号化部１１０で復号化した後印刷部１３０で印刷させ、Ｓ１ステップ（図３）へ処理を戻す。
【００５２】
図５のＳ２１ステップでは、制御部１９０は、前記Ｓ１９ステップで検出されたグループＩＤがＲＡＭ１７０に記憶されているグループＩＤと一致するか否かを判定し、一致したと判定するとＳ２２ステップへ処理を進め、一方一致しないと判定するとＳ２５ステップへ処理を進める。
【００５３】
Ｓ２２ステップでは、制御部１９０は、ＲＡＭ１７０のナンバーディスプレイ電話番号領域に記憶されている電話番号が、電話帳メモリ１８０に記憶されているか否かを判定し、一致していると判定した際には、Ｓ２４ステップへ処理を進め、一方判定しない際にはＳ２３ステップへ処理を進める。
【００５４】
Ｓ２３ステップでは、制御部１９０は、ＲＡＭ１７０のＴＳＩ電話番号記領域に記憶されている電話番号が、電話帳メモリ１８０に記憶されているか否かを判定し、一致していると判定した際には、Ｓ２４ステップへ処理を進め、一方判定しない際にはＳ２５ステップへ処理を進める。
【００５５】
Ｓ２４ステップでは、制御部１９０は、モデム１００で復調した画情報を画情報メモリ１２０に記憶し、Ｓ２６ステップ（図６）へ処理を進める。
【００５６】
Ｓ２５ステップでは、制御部１９０は、モデム１００を制御することにより回線Ｌを切断し、Ｓ１ステップ（図３）へ処理を戻す。
【００５７】
このようにＳ２１〜Ｓ２４ステップでは、ナンバーディスプレイ又はＴＳＩ信号中の送信側電話番号が電話帳メモリ１８０に予め記憶されている回覧メンバー装置の電話番号と一致するとメモリ受信を行う。この為、回覧メンバー以外の第三者が、グループＩＤを操作して回覧メンバーへ不所望な回覧を回覧させることを防止することが可能である。
【００５８】
Ｓ２６ステップ（図５）では、制御部１９０はモデム１００に回線切断を行わせ、Ｓ２７ステップへ処理を進める。
【００５９】
Ｓ２７ステップでは、制御部１９０は、自装置が回覧元装置であるか否かを判定している。
【００６０】
具体的には、制御部１９０は、ＲＡＭ１７０の回覧元電話番号領域に回覧元電話番号が記憶されているか否かを検索し、記憶されていないと判定した際には２８ステップへ処理を進め、一方、記憶されていると判定した際にはＳ３０ステップへ処理を進める。
【００６１】
Ｓ２８ステップでは、制御部１９０は画情報メモリ１２０を制御することにより前記メモリ１２０に記憶されている回覧板を消去させ、Ｓ２９ステップへ処理を進める。
【００６２】
Ｓ２９ステップでは、制御部１９０は、表示部１４０を制御することにより、送信した回覧板が戻ってきたことを示す、例えば“回覧終了”と表示させ、Ｓ１ステップ（図３）へ処理を戻す。
【００６３】
Ｓ３０ステップでは、制御部１９０は、表示部１４０を制御することにより回覧を受信したことを示す表示、例えば“回覧板有り”と表示させ、Ｓ３１ステップへ処理を進める。
【００６４】
尚、ユーザは、このような回覧板受信表示を見る事により回覧板を受信したことを確認することが可能であり、ユーザが回覧板受信確認後に操作部１５０に所定の操作を行うことにより、制御部１９０が前記Ｓ２４ステップでメモリ受信した回覧板を印刷部１３０で印刷させることが可能である。
【００６５】
Ｓ３１ステップでは、制御部１９０は、次の回覧先への回覧送信処理を行う。
【００６６】
具体的には、制御部１９０が、ＲＡＭ１７０に記憶されている回覧先電話番号をダイヤラ１０１を制御して回線Ｌへダイヤル発信させ、続いてモデム１００から回線ＬへＣＮＧ信号を送出させる。
【００６７】
続くＳ３２ステップでは、制御部１９０は、受信側端末からＣＥＤ、ＤＩＳ信号を検出する際には、グループＩＤを付加したＳＵＢ信号と自身の電話番号を含んだＴＳＩ信号とＤＣＳ信号を送信しＳ３３ステップへ処理を進め、一方、検出しない場合にはＳ３６ステップへ処理を進める。
【００６８】
Ｓ３３ステップでは、制御部１９０は、画情報メモリ１２０に記憶されている回覧板をモデム１００で変調させた後に回線Ｌへ送出させる。
【００６９】
続くＳ３４ステップでは、制御部１９０は、メモリ１２０に記憶されている回覧内容を送信後に、ファクシミリ制御信号（例えばＥＯＰ、ＭＣＦ信号等）の送受信の確認により送信の正常終了と判定する際にはＳ３５ステップへ処理を進め、一方、正常終了と判定しない際にはＳ３６ステップへ処理を進める。
【００７０】
Ｓ３５ステップでは、制御部１９０はモデム１００を制御することにより回線Ｌを切断させ、Ｓ１ステップ（図３）へ処理を戻す。、
Ｓ３６ステップでは、制御部１９０は、ＲＡＭ１７０の回覧元電話番号領域から回覧元電話番号を読み出し、ダイヤラ１０１から回線Ｌへダイヤル発信させて回覧元装置へ送信エラーが生じた事を報知（例えば、通信エラーを示す画像データ、音声データ、コードデータ等の送信）を行い、Ｓ１ステップ（図３）へ処理を戻す。
【００７１】
このように本実施例装置は、メンバー端末が回覧板を受信すると、受信したＳＵＢ信号からグループＩＤを検出し、受信したグループＩＤがＲＡＭ１７０に記憶されていると共に、ナンバーディスプレイ機能により受信した送信側の電話番号又は受信したＴＳＩ信号から検出した送信側電話番号が、電話帳メモリ１８０に記憶されている場合には、メモリ受信し、予め定められた次の回覧先へ受信した回覧板を送信する。又、回覧板送信に失敗すると回覧元装置に送信エラーが生じたことを自動的に報知する。
【００７２】
この為、従来のファクシミリ装置を用いて回覧システムを構成する際に出てくる問題点である、受信した回覧板をユーザが送信セットし次の回覧先へダイヤル操作を行うという煩わしさが生じることがない。又、いつまでも他のファクシミリ装置から回覧されず、回覧元装置に回覧板が帰らないという問題を回避することができる。
【００７３】
尚、本実施例では、図１において第１ＦＡＸ装置〜第６ＦＡＸ装置の合計６台で１つのグループを形成しているが、ＦＡＸ装置の数は３台以上であればこれに限定されない。
【００７４】
又、本実施例では、Ｓ２１〜Ｓ２５ステップにおいて、受信したグループＩＤがＲＡＭ１７０に記憶されていると共にナンバーディスプレイ機能により受信した送信側電話番号或いはＴＳＩ信号中の送信側電話番号が電話帳メモリ１８０に記憶されていると判定しなければ、メモリ受信を行わないが、受信したグループＩＤがＲＡＭ１７０に記憶されていればメモリ受信を行う構成にしても良いし、受信したグループＩＤがＲＡＭ１７０に記憶されていると共にナンバーディスプレイ機能により受信した送信側の電話番号が電話帳メモリ１８０に記憶されており又、ＴＳＩ信号中に含まれている電話番号が電話帳メモリ１８０に記憶されている場合にメモリ受信を行う構成としても良い。
【００７５】
【発明の効果】
本発明のファクシミリ回覧装置及びシステムは、使用者に操作の負担をかけないで回覧板を回覧することができると共に第三者からの不所望な回覧板のグループ内での回覧を防止できる。
【図面の簡単な説明】
【図１】本発明を適用してなる実施例装置のブロック図である。
【図２】ＲＡＭ１７０に格納されているデータの形態図である。
【図３】本実施例装置の動作を示すフロー図である。
【図４】本実施例装置の動作を示すフロー図である。
【図５】本実施例装置の動作を示すフロー図である。
【図６】本実施例装置の動作を示すフロー図である。
【図７】回覧システムの概念図である。
【符号の説明】
１００  モデム
１０１  ダイヤラ
１１０  符号化／復号化部
１２０  画情報メモリ
１３０  印刷部
１４０  表示部
１５０  操作部
１６０  ＲＯＭ
１７０  ＲＡＭ
１８０  電話帳メモリ
１９０  制御部
【図１】
0003600113.tif 000002
【図２】
0003600113.tif 000003
【図３】
0003600113.tif 000004
【図４】
0003600113.tif 000005
【図５】
0003600113.tif 000006
【図６】
0003600113.tif 000007
【図７】
0003600113.tif 000008